【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
人が一以上の機器を制御することを助ける方法であって、
ａ）機械的振動を検出できる振動センサーを、
ｉ．前記人の頭、又は
ｉｉ．骨乳様突起を覆って、又は側頭下顎骨の関節を覆う皮膚の下、
のいずれかに取り付ける段階；
ｂ）前記人の体の一部の運動を引き起こす、又は刺激することができる一以上の機器を備え付ける段階；
ｃ）前記人の上歯と下歯の突然の接触により誘発された機械的振動を、前記センサーで検出する段階；
ｄ）前記感知された機械的振動から電気的信号を発生させる段階；及び
ｅ）前記人の体の一部の運動を引き起こす、又は刺激するように、制御すべき一以上の機器に前記電気的信号を伝送する段階，
を含む方法。
【請求項２】
前記センサが加速度計である請求項１に記載の方法。
【請求項３】
前記段階（ｃ）、（ｄ）及び（ｅ）が、前記皮膚の下のカプセル封入物で行われる請求項２に記載の方法。
【請求項４】
前記制御されている機器が、筋肉又は神経を刺激できる機器、又は動作中の整形器具又は人工器官である請求項１に記載の方法。
【請求項５】
前記センサーが前記人の頭の側方に取り付けられる請求項４に記載の方法。
【請求項６】
前記センサーが、骨乳様突起を覆う、又は側頭下顎骨の関節を覆う、前記人の頭に取り付けられる請求項４に記載の方法。
【請求項７】
前記センサーが加速度計又はマイクロホンである請求項６に記載の方法。
【請求項８】
前記センサーが加速度計である請求項６に記載の方法。
【請求項９】
前記センサーが、接着剤、接着テープ、伸縮性ヘッドバンド、バネ装着ヘッドピース、弾力性のあるアームを備えた眼鏡から成る群から選択させる一以上の取付具を用いて、前記振動を検出する前記人の頭に取り付けられる請求項８に記載の方法。
【請求項１０】
段階（ｅ）において、前記電気信号が、一以上の機器を制御する出力信号を生成するように構成された電気的制御器に伝送される請求項９又は３に記載の方法。
【請求項１１】
前記制御されている機器が、前記人の手の中の筋肉を刺激する電極を備えた袖口である請求項１０に記載の方法。
【請求項１２】
前記センサーが、前記人の骨乳様突起の前記機械的振動を感知するような場所で前記人の頭に取り付けられる請求項４に記載の方法。
【請求項１３】
前記センサーが、前記人の側頭下顎骨の関節の前記機械的振動を感知するような場所で前記人の頭に取り付けられる請求項４に記載の方法。
【請求項１４】
前記制御されている機器が、前記人の手の中の筋肉を刺激する電極を備えた袖口である請求項１に記載の方法。
【請求項１５】
前記制御器が、前記電気的信号から一時的なパターン又は強度を識別し、かつ、対応する出力信号を発生して前記一以上の機器を制御する請求項１１に記載の方法。
【請求項１６】
前記電気的信号を増幅することを更に含む請求項１５に記載の方法。
【請求項１７】
前記電気的信号をフィルターにかけて、歯のクリック音と無関係の振動に対応する信号を減衰させることを更に含む請求項１６に記載の方法。
【請求項１８】
前記制御器が論理回路を含み、前記電気的信号の、歯のクリック音に関係する成分を選択的に認識する請求項１７に記載の方法。
【請求項１９】
前記出力信号が、筋肉又は神経を刺激するように作動する一連の電気パルスを発生させる信号発生器に向けられる請求項１８に記載の方法。
【請求項２０】
段階（ｅ）において、前記電気的信号又は前記出力信号が有線の、無線の又はファイバー光学伝送器、又は受動中継器を用いて伝送され、かつ、前記制御器が伝送された電気的信号を受信できる受信機を含む請求項１９に記載の方法。
【請求項２１】
一以上の機器と共に用いる装置であって、
人の上歯及び下歯の突然の接触により誘発された機械的振動を検出することができ、かつ、感知した機械的振動から前記一以上の機器に伝送するための電気的信号を発生させることができる振動センサー；及び
ｉ．前記機械的振動を検出するために前記振動センサーを前記人の頭に取り付けるための取付具；又は
ｉｉ．骨乳様突起を覆う、又は側頭下顎骨の関節を覆う皮膚の下に配置するための、前記センサーのカプセル封入物；
のいずれかを含み、
前記制御されている一以上の機器が、前記人の体の一部の動きを引き起こす又は刺激することができる装置。
【請求項２２】
前記センサが加速度計である請求項２１に記載の装置。
【請求項２３】
前記電気的信号を前記一以上の機器に伝送する手段を更に含み、かつ、前記装置が、皮膚の下に配置するための前記センサーのカプセル封入物を含むときは、前記カプセル封入物は前記電気的信号を伝送するための手段を更にカプセル化する請求項２２に記載の装置。
【請求項２４】
前記伝送手段が無線伝送器又は受動中継器であり、かつ、前記電子制御器が、前記伝送された電気的信号を受信できる受信機を含む請求項２３に記載の装置。
【請求項２５】
制御されている機器が、筋肉又は神経を刺激できる機器、又は動作中の整形器具又は人工器官である請求項２１に記載の装置。
【請求項２６】
前記取付具が、前記センサーを前記人の頭の側方に取り付けるように構成されている請求項２５に記載の装置。
【請求項２７】
前記取付具が、前記センサーを、骨乳様突起を覆って、又は側頭下顎骨の関節を覆って、前記人の頭に取り付けるように構成されている請求項２５に記載の装置。
【請求項２８】
前記センサーが加速度計又はマイクロホンである請求項２７に記載の装置。
【請求項２９】
前記センサーが加速度計である請求項２７に記載の装置。
【請求項３０】
前記電気的信号を、前記制御すべき一以上の機器に伝送する手段を更に含む請求項２９に記載の装置。
【請求項３１】
前記取付具が、接着剤、接着テープ、伸縮性ヘッドバンド、バネ装着ヘッドピース、弾力性のあるアームを備えた眼鏡から成る群から選択される請求項３０に記載の装置。
【請求項３２】
前記伝送された電気的信号を受信するように、かつ、出力信号を生成して前記一以上の機器を制御するように構成された電子制御器を更に含む請求項３１又は２３に記載の装置。
【請求項３３】
制御されている機器が、前記人の手の筋肉を刺激する電極を備えた袖口である請求項３２に記載の装置。
【請求項３４】
前記取付具が、前記人の骨乳様突起の前記機械的振動を感知するような場所で、前記センサーを前記人の頭に取り付けるように構成されている請求項２５に記載の装置。
【請求項３５】
前記取付具が、前記人の側頭下顎骨の関節の前記機械的振動を感知するような場所で、前記センサーを前記人の頭に取り付けるように構成されている請求項２５に記載の装置。
【請求項３６】
制御されている機器が、前記人の手の筋肉を刺激することができる袖口である請求項２１に記載の装置。
【請求項３７】
前記制御器が、前記電気的信号から一時的なパターン又は強度を識別し、かつ、対応する出力信号を発生して前記一以上の機器を制御する請求項３３に記載の装置。
【請求項３８】
前記電気的信号を増幅するための増幅器を更に含む請求項３７に記載の装置。
【請求項３９】
歯のクリック音と無関係の振動に対応する信号を減衰させるように前記電気的信号をフィルタリングするためのフィルターを更に含む請求項３８に記載の装置。
【請求項４０】
前記制御器が論理回路を含み、前記電気的信号の歯のクリック音に関連する成分を選択的に認識する請求項３９に記載の装置。
【請求項４１】
前記出力信号が、筋肉又は神経を刺激するように作動する一連の電気パルスを発生させる信号発生器に向けられる請求項４０に記載の装置。
【請求項４２】
前記伝送手段が有線の、無線の又は光ファイバー伝送器、又は受動中継器であり、かつ、前記制御器が、前記伝送された電気的信号を受信できる受信機を含む請求項４１に記載の装置。
【手続補正２】
【補正対象書類名】明細書
【補正対象項目名】００１７
【補正方法】変更
【補正の内容】
【００１７】
図１において、装置１０は、接着剤、接着テープ又はほかの適切な手段によって人の頭部２２に固定された検出器２０を含む。検出器２０の好適な位置決めは、人の耳３０後部の骨乳様突起２８にかぶさって又は人の側頭下顎（顎）関節３２を覆うものであることに留意されたい。検出器２０は、上の歯２４と下顎歯２６の突然の接触で起きる頭部２２における機械的振動を検出するように適合させてある。図２において、検出器２０には、例えば（振動）加速度計又は高感度のマイクロホンのような、振動センサー５２が設けられている。歯のクリック音で生じる振動に対する検出器の選択性を最大にするのに、３−軸加速度計を使用することが好ましい。好適な実施態様においては、検出器２０には、例えば電池又は電子回路のような、伝送された電力を電磁的に受電しかつ蓄えることが可能な電源５０が設けられている。しかし、例えば受動的トランスポンダのような受動装置も使用できることは理解できるであろう。検出器２０の好適な変形は、振動に応答して振動センサー５２によって生じた電圧の変動を増幅する電子増幅器５４も組み込んでいる。好適には、検出器には、歯の接触に無関係な振動に対応した信号を選択的に減衰させるフィルター５５も設けられている。図１、図２及び図３において、電源６０付の電子制御装置４０も含まれており、該装置は、例えば図１における筋肉刺激カフス３６、（限定されないが）図２における７０、７２及び７４で例示されるそのほかの装置及び操作、及び例えば図３における光源８０、コンピュータ８２、ラジオ８４、テレビジョン８６、ドアオープナー８８、自動車９０のような１つ又はそれ以上の被制御装置に命令を送信することによって、増幅されかつフィルターを通した振動センサーの信号のある状態に応答する。制御装置４０は、図１及び２の例に示すように、検出器２０から物理的に離してよい。この場合、検出器２０は、例えばワイヤ又は光ファイバケーブルのような物理的なリンクを経由して調節器４０に接続することができる。あるいは、検出器２０は、制御装置４０の一部である受信器６２に電磁的通信方法又は音響的通信方法によって、振動に関連した信号３４を送信する送信器５６を装備することができる。受信信号は信号増幅器６４及びフィルター６５によって増幅される。信号は、図１及び図２に示し更に図３に詳しく示した複数の装置７０、７２、７４を制御するために、論理回路６６及び出力信号発生器６８で更に処理してもよい。図１に示したものは、筋肉刺激に関連した応用である。人は、カフス内にある電極３８に接続された組み込みの制御回路４０の付いたカフス３６を着用する。図２に示すように、制御回路４０は、無線受信器６２、信号増幅器及びフィルター６４及び６５を含む。制御回路４０は、信号の歯のクリック音に関連した成分の選択された認識度を最大化し、かつそれに応じて命令信号を取り出すために、論理回路６６を含むこともできる。命令信号は信号発生器６８によって一連の電流パルスに変換され、電極３８を通して筋肉へ伝送されて、親指４２及び指（複数）４４を動かす前腕の筋肉を活性化する。制御できる装置の多様性が更に図３に示されており、例えば光源８０、コンピュータ８２、ラジオ８４、テレビジョンセット８６、電気機械的に作動するドア８８及び自動車９０を含む。